(57)【特許請求の範囲】
【請求項１】
注出筒と、外筒、内筒および肩壁を具えた嵌着筒部とからなり、容器口部に嵌着される中栓と、中栓に設けた螺着筒に螺合されるキャップ本体と、その下端に連設された保護リングとからなるキャップとを備えた液注出容器であって、
保護リングは、キャップ本体の側周壁下端面に設けられた複数の切断可能な連結片によってキャップ本体の側周壁下端に取着され、
保護リングの内周面と中栓の外筒外周に、相互に噛み合うよう形成されたローレットが設けられ、保護リングのローレットの上下方向の長さが、中栓外周のローレットより上方に長くなっていることを特徴とする液注出容器の中栓とキャップ。
【請求項２】
中栓の肩壁周縁に沿って係合リングを立設し、
キャップ本体の側周壁下端に、上記係合リングに嵌合する係合溝を設けたことを特徴とする請求項１記載の液注出容器の中栓とキャップ。
【請求項３】
それぞれのローレットが山の高さを異にし、通気孔を形成するようにしたことを特徴とする請求項１または２記載の液注出容器の中栓とキャップ。
【請求項４】
キャップ本体の側周壁下端に、膨出環を設けたことを特徴とする請求項１〜３のいずれかに記載の液注出容器の中栓とキャップ。
【請求項５】
中栓の外筒内周に通気溝を設けたことを特徴とする請求項１〜４のいずれかに記載の液注出容器の中栓とキャップ。
【請求項６】
注出筒の隔壁周縁に、位置決め片を垂設したことを特徴とする請求項１〜５のいずれかに記載の液注出容器の中栓とキャップ。
【発明の詳細な説明】
【０００１】
【発明の属する技術分野】
本発明は、熱充填容器の中栓とキャップ、とくに容器使用後の廃棄時にキャップとともに中栓を容器口部から抜栓可能とした液注出容器の中栓とキャップに関する。
【０００２】
【従来の技術】
容器使用後に、容器口部に嵌着した中栓、またはキャップを抜き取り、分別廃棄することは従来より実施されており、中栓の外筒に拡開防止のための保護リングを嵌着し、容器廃棄時に保護リングを取外し、中栓を容器口部から抜栓すること、その際、保護リング（プロテクターリング３）の内周に、ローレットを刻設し、中栓（キャップ本体１）の外壁から容易に離れないようにすることは、従来より公知（例えば実開平６−７６１０６号公報参照）である。
【０００３】
【発明が解決しようとする課題】
しかしながら、上記公報のものは、ローレットによって嵌着度を強めているが、キャップ本体（１）の外周にはスリットがあるだけで、キャップ本体全周にわたってローレット内周に係合するわけではないから、最初に上蓋（２）を開封するときに、上蓋（２）とともにプロテクターリング（３）を廻動させることもあった。
【０００４】
また、上記公報のキャップは、加熱充填時に、温水、常温水を使って徐冷又は急冷した場合に、キャップ内に蒸気、湿った外気、冷却水等が吸引されることを防止する手段を具えていないので、キャップ内に結露が付着するという問題があった。
【０００５】
本発明は、上記の問題を解決することを課題とし、加熱充填にあたって、中栓の打栓を容易にするとともに、蒸気、湿った外気、或いは冷却水等がキャップ内に吸引されることを防ぐこと、およびキャップの開封にあたって、保護リングがキャップとともに廻動して持ち上げられることを阻止するようにした液注出容器の中栓とキャップを提供することを目的とする。
【０００６】
【課題を解決するための手段】
本発明は、上記の課題を解決するため、液注出容器の中栓とキャップとして、注出筒と、外筒、内筒および肩壁を具えた嵌着筒部とからなり、容器口部に嵌着される中栓と、中栓に設けた螺着筒に螺合されるキャップ本体と、その下端に連設された保護リングとからなるキャップとを備えた液注出容器であって、保護リングは、キャップ本体の側周壁下端面に設けられた複数の切断可能な連結片によってキャップ本体の側周壁下端に取着され、保護リングの内周面と中栓の外筒外周に、相互に噛み合うよう形成されたローレットが設けられ、保護リングのローレットの上下方向の長さが、中栓外周のローレットより上方に長くなっていることを特徴とする構成を採用する。
【０００７】
加熱充填時にキャップ内に外気の吸引を阻止するため、中栓の肩壁周縁に沿って係合リングを立設し、キャップ本体の側周壁下端に、上記係合リングに嵌合する係合溝を設けたことを特徴とする構成を採用し、また、冷却水の排出をよくするために、それぞれのローレットが山の高さを異にし、通気孔を形成するようにしたことを特徴とする構成を採用する。
【０００８】
使用中のキャップ開閉時に保護リングに触れ、廻動させないようにするため、キャップ本体の側周壁下端に、膨出環を設けたことを特徴とする構成を採用する。
【０００９】
打栓を容易にするため、中栓の外筒内周に通気溝を設けたことを特徴とする構成を採用し、また、打栓前のキャップ締着を容易にするため  注出筒の隔壁周縁に、位置決め片を垂設したことを特徴とする構成を採用する。
【００１０】
【発明の実施の形態】
次に、本発明の実施形態について、図面を参照して説明する。
図１において、Ａは容器で、ガラスまたは合成樹脂で成形されている。
Ｂは中栓で、ＰＥその他軟質の合成樹脂で成形されており、Ｃはキャップで、ＰＰその他硬質の耐熱性合成樹脂で成形されている。
容器Ａの口部１外周には、嵌合突条２とネックリング３が設けられている。
【００１１】
図２に示すように、中栓Ｂは、口部１に嵌着する嵌着筒部４と、注出筒５を連接した螺着筒６とを具えており、嵌着筒部４は、外筒７と内筒８と肩壁９とからなっている。
外筒７の下方内周には、容器Ａの口部１外周に設けられた嵌合突条２に係合する係合突条１０が突設され、その係合突条１０には、抜栓を容易にするため複数の切欠部１１が設けられており、該切欠部１１から上方に延びる浅い通気溝１２が刻設されている。
外筒７の外周下方には、全周にわたってローレット１３が設けられており、外筒７上端の肩壁９周縁には、内側を傾斜面１４とした係合リング１５が立設されている。
【００１２】
内筒８は、口部１の内周に一定の締め代をもって嵌合されるよう拡径されている。
【００１３】
螺着筒６は、前記内筒８を上方に延ばすよう肩壁９の内周縁に沿って立設されており、螺着筒６の外周には、ねじ１６が螺設され、上端には、内方に延びる注出筒５の支持壁１７が連設されている。
注出筒５の上端縁には、外方に拡径され湾曲する注出口唇部１８が形成され、下端には、隔壁１９が連設されている。
【００１４】
隔壁１９の周縁には、注出筒５下端に沿って等間隔をおいてくさび状の位置決め片２０が垂設されており、隔壁１９の裏面には、所定の形状に沿って薄肉を残してＶ字形の切断溝２１が設けられ、その内側の隔壁１９は除去部２２となっている。
除去部２２の上面には、連結片を介して指掛けリング２３が設けられている。
【００１５】
図３に示すように、キャップＣは、キャップ本体３０とキャップ本体３０の下端に連設された保護リング３１とからなっている。
キャップ本体３０は、頂壁３２と側周壁３３とを具えており、頂壁３２の下面には、閉蓋時に注出口唇部１８を密封する密封リング３４が垂設されている。
側周壁３３の内周には、ねじ３５が螺設されており、外周には、ローレット３６が刻設されている。
側周壁３３下端面には、傾斜面３７を有する係合溝３８が刻設され、下端外周には、下方から延び外周から広がる膨出環３９が形成されている。
【００１６】
保護リング３１は、等間隔に配置された容易に切断可能な複数の連結片４０を介してキャップ本体３０と連結されており、保護リング３１の内周には、全周にわたってローレット４１が刻設されている。
ローレット４１の山数は、中栓Ｂの外筒７外周のローレット１３の山数と同一であるが、山の高さは、ローレット４１の方が高くなっている。
打栓にあたって、外筒７外周が拡げられることによって、各ローレット４１，１３が強固に噛み合い、保護リング３１を外筒７に嵌着させるとともに、両者の間を通気性をなくさないようにしている。
【００１７】
次に、本発明の液注出容器の構成に基づく作用効果について説明する。
まず、内容液の熱充填について説明すると、本容器には、加熱殺菌した内容液が充填される。
加熱充填にあたって、中栓ＢにキャップＣが被嵌されるが、その際、中栓Ｂは、図４に示すような治具Ｄに取着され、中栓Ｂのくさび状の位置決め片２０が治具Ｄの位置決めストッパーＤ１に係止されることによって廻動が阻止され、キャッピングが簡単に能率よく行われる。
キャップＣが締着されたときには、側周壁３３の下端の傾斜面３７が、中栓Ｂの傾斜面１４に係合するようにキャップＣの係合溝３８と中栓Ｂの係合リング１５が嵌合され、キャップＣ内の密封性が維持される。
【００１８】
加熱充填にあたって、図５に示すように、内容液の充填後にキャップＣを被嵌した中栓Ｂが、打栓により容器Ａの口部１に嵌着され、その後に比較的高温の加熱水が注がれ、順次低温の加熱水、常温の冷却水が注がれ、内容液が冷却される。
そのため、蒸気が立ちこめる状況の中で冷却が行われることになり、冷却につれてキャップＣ内が減圧される。
また、殺菌温度が低い場合には、当初から冷却水が注がれ冷却される。
【００１９】
冷却にあたって、キャップＣ内は、中栓Ｂの係合リング１５とキャップ側周壁３３下端の係合溝３８により密封されているので、キャップＣ内に蒸気、或いは冷却水が吸引されることが阻止される。
【００２０】
また、打栓時には、内筒８の外周が一定の締め代をとって口部１内周に嵌合され、外筒７の係合突条１０が嵌合突条２の下側に係合して、中栓Ｂが口部１に嵌着される。
その際、嵌合筒部４内の空気は、通気溝１２、切欠部１１を通じて排出されるので、打栓は容易に行われる。
そして、内筒８、外筒７とともに肩壁９が口部１上端面に密着することによって容器Ａ内部が密封される。
したがって、冷却にあたって中栓Ｂと容器Ａとの間からは、蒸気或いは湿った外気、冷却水等は吸引されない。
【００２１】
冷却とともに、蒸気、湿った外気等は、口部１の嵌合突条２下面と中栓Ｂの外筒７の係合突条１０との間の周辺部分ａ、或いは中栓外筒７とキャップＣの側周壁３３下端との間の周辺部分ｂに引き寄せられ結露し、また、冷却水も引き寄せられるが、周辺部分ａの水分は、容器口部１外周面を伝わって落下し、周辺部分ｂの水分は、外筒７外周と保護リング３１との間を伝わって落下する。
その際、水分は、外筒７外周と保護リング３１内周との間で、ローレット４１、１３の間の隙間から毛管作用によって下方に誘導される。
したがって、キャップＣ付近の水分は早急に落下するので、容器Ａの乾燥は効率よく行われる。
【００２２】
次に、容器使用中の作用効果、および使用後の廃棄について説明する。
容器Ａの使用開始にあたってのキャップの開封時には、キャップＣを廻動すると、保護リング３１は、その内周のローレット４１が中栓Ｂのローレット１３に噛合しているので、キャップＣとともに廻動することなく、連結片４０は容易に切断される。
その後に、必要に応じて保護リング３１を下方に押し下げると、中栓Ｂ外周の下端が打栓時に拡開されているので、ローレット４１，１３同士の噛合がさらに強くなり、強固な嵌着が得られる。
【００２３】
容器使用時に、キャップＣの開閉にあたっては、側周壁３３下端に膨出環３９が形成されているので、指先が保護リング３１に接するのが阻止され、キャップＣ外周のローレット３６部分を握って廻動させるので、キャップＣの開閉が容易である。
【００２４】
中栓外筒７は、係合突条１０が容器口部１の嵌合突条２に係合しているので、中栓Ｂは容易に抜き取られないが、キャップＣを被嵌してひねっても、保護リング３１が外筒７の下方部を包囲しているので、外筒７の拡開が阻止され、中栓Ｂが抜けることはない。
【００２５】
容器使用後の廃棄にあたっては、まず、キャップＣを取り外し、保護リング３１を上方に引っ張り上げると、ローレット１３，４１の嵌着度が弱くなるので、保護リング３１を簡単に取り外すことができる。
【００２６】
次いで、再び中栓ＢにキャップＣを被嵌し、図６に示すように、キャップＣを矢印の方向にひねると、キャップＣと中栓Ｂが一体となって、中栓Ｂを容器Ａの口部１から取り外すことができる。
その際、側周壁３３下端部に膨出環３９が形成されているので、指先が引っかかり、滑らないので、キャップＣにかかるモーメントを強くすることができ、抜栓を容易にしている。
【００２７】
【発明の効果】
本発明は、上記のように構成されているから、次の効果を奏する。
キャップの下端に中栓肩壁外周に設けた係合リングに係合する係合溝を設けているから、加熱充填後の冷却にあたって、冷却水や周辺の湿った外気を吸引することを防止することができた。
【００２８】
保護リングの内周面と中栓の外周面にローレットを設け係合させるようにしたから、キャップ開封時に、キャップと保護リングとの切断が確実に行われ、使用中に保護リングが中栓から外れることがなくなった。
【図面の簡単な説明】
【図１】本発明の液注出容器の一部断面正面図である。
【図２】中栓の説明図で、（ａ）は正面図、（ｂ）断面図、（ｃ）は底面図である。
【図３】キャップの一部断面正面図である。
【図４】キャッピング時の説明図である。
【図５】冷却時の説明図である。
【図６】中栓の開栓時の説明図である。
【符号の説明】
Ａ    容器
Ｂ    中栓
Ｃ    キャップ
１    口部
５    注出筒
６    螺着筒
７    外筒
８    内筒
９    肩壁
１２  通気溝
１３  ローレット
１４  傾斜面
１５  係合リング
１９  隔壁
２０  位置決め片
３０  キャップ本体
３１  保護リング
３２  頂壁
３３  側周壁
３７  傾斜面
３８  係合溝
４０  連結片
４１  ローレット
【図１】
0004711278.tif 000002
【図２】
0004711278.tif 000003
【図３】
0004711278.tif 000004
【図４】
0004711278.tif 000005
【図５】
0004711278.tif 000006
【図６】
0004711278.tif 000007